(57)【要約】【課題】シングルニット編地からなるウエルト部にカールを発生させないと共に伝線も発生させず、かつ、適度の締付力を有する端末編組織を提供する。【解決手段】止め編み部分と、該止め編み部分に連続するウエルト編み部分を備えるシングルニットからなるシングルウエルトの端末編組織であって、上記止め編み部分はニットとミスとからなるコースを弾性糸で編成している一方、上記ウエルト編み部分は地糸で編成した複数コースからなり、該ウエルト編み部分の複数コースは、１つのコース中に必ずループを形成しないミスを交えていると共に、表目側への張力を発生させるニットと裏目側への張力を発生させるタックとを表目側と裏目側の張力が均衡する位置関係で組み合わせて編成し、表目側にカールを発生させない。【選択図】　図２
2004124345.tif 000002
【特許請求の範囲】
【請求項１】
止め編み部分と、該止め編み部分に連続するウエルト編み部分を備えるシングルニットからなるシングルウエルトの端末編組織であって、
上記止め編み部分はニットとミスとからなるコースを弾性糸で編成している一方、
上記ウエルト編み部分は地糸で編成した複数コースからなり、該ウエルト編み部分の複数コースは、１つのコース中に必ずループを形成しないミスを交えていると共に、表目側への張力を発生させるニットと裏目側への張力を発生させるタックとを表目側と裏目側の張力が均衡する位置関係で組み合わせて編成していることを特徴とする端末編組織。
【請求項２】
上記止め編み部分に連続する複数コースは、ニットとミスとを繰り返すタック入り準備部とし、これに連続する複数のコースではタックを交えた身頃締付部とし、該身頃締付部の複数のコースは、ニットとミスからなるコース、ニットとミスとタックからなるコース、ミスとタックからなるコースを組み合わせて編成している請求項１に記載の端末編組織。
【請求項３】
請求項１または請求項２に記載の端末編組織を丸編地として筒状とされる端末に備えていることを特徴とする衣類。
【発明の詳細な説明】
【０００１】
【発明の属する技術分野】
本発明は端末編組織および該端末編組織を備えたトップおよびボトム下着等の衣類に関し、特に、端末をシングルニットとして薄くして外観に響かないようにすると共に外側に巻くように垂れ下がるカールの発生を防止しているものである。
【０００２】
【従来の技術】
靴下のはき口端末、シャツの裾端末や袖口、ショーツの足回り端末等のウエルト部分は、その厚さが大で身頃地との間に段差が発生すると、アウターを通して外観上現出する所謂“ひびく”現象が発生しやすい。そのため、ウエルト部分は出来るだけ薄くすることが好ましくいが、薄くすると、ウエルト部分が外側にカールして捲れ上がりやすい問題が発生するため、薄くしながらカールを発生させないことが求められている。
【０００３】
従来、ウエルト部分は編地を折り返して袋状としているダブルウエルトの場合が多く、このダブルウエルトではカールの問題は生じないが、厚さが大となって上記“ひびく”問題が発生する。
また、折り返してダブルウエルトとせず、弾性糸を編み込んで伸縮性を持たせたダブルニット編地からなるシングルウエルトも提供されている。（特開２００２−１４６６０９号）。
このダブルニット編地では図５（Ａ）に示すように、Ａ列の針Ｎ１とＢ列の針Ｎ２に給糸される糸で表目Ｓ１と裏目Ｓ２にループＲが形成されるため、表裏両面の張力のバランスが取れ、表側に編地が曲がり込むカールが発生しない利点がある。
また、上記シングルウエルトの場合は袋編に編成する場合と比較して編成工程が簡単となると共に厚さを薄くできるが、ダブルニット編地からなるため、シングルニット編地と比較すると厚さが大となっている。
【０００４】
ウエルト部分をシングルニット編地からなるシングルウエルトとすると、編成速度がダブルニットと比較して３倍程度早くなり生産性を上げる利点があると共に、厚さを薄くできる。しかしながら、図５（Ｂ）に示すように、シングルニット編地では１列に並列する針Ｎ３に給糸された糸が表目Ｓ１側にのみにループＲが形成されるため、表目側に編地のカールが発生して外側に捲れやすい問題がある。かつ、シングルニットで用いる編糸は細くゲージ数が多いため伸びが少なく、適度の締付力を付与して身体へのフィット感を出しにくい問題がある。
【０００５】
上記問題に対して、特開平８−８１８６０号公報で、図６に示すように、２本の弾性糸Ａ１、Ａ２を第１コース中に針で編成せずに直線状に挿入し、第１コースの地糸Ｂにより形成されるシカーループとニードルループにより弾性糸Ａ１、Ａ２を表裏から挟むように編成したシングルゴムトップの編み立て方法が提案されている。
さらに、実用新案登録第３０２２６８３号で提案されている靴下では、シングルシリンダ靴下編機で編成してシングルニットとしているが、口ゴムの端部数コースを裏編目が外側に位置するように折り返して袋状の二重編みとしたものが提案されている。
【０００６】
【特許文献１】
特開２００２−１４６６０９号公報
【０００７】
【特許文献２】
特開平８−８１８６０号公報
【０００８】
【特許文献３】
実用新案登録第３０２２６８３号公報
【０００９】
【発明が解決しようとする課題】
上記特開平８−８１８６０号公報で提案されているシングルゴムトップの編み立て方法では、ゴム糸を地糸と編まずに通しているだけで表裏両面より挟持した編成としているだけであるため、ウエルト部の端末の地糸ループが表目側にのみ出て外側へカールするのを防止する機能はない。
また、上記実用新案登録第３０２２６８３号で提案されている靴下では、ウエルト部では裏編目が外側に位置するように折り返して袋状の二重編みとしているため、シングルニット編地からなるがウエルト部の厚さが大となって、前記した外観にひびく問題が解消されていない。
【００１０】
本発明は上記した問題に鑑みてなされたもので、シングルニット編地からなるウエルト部にカールを発生させないと共に伝線も発生させず、かつ、適度の締付力を有する端末編組織を提供することを課題としている。
【００１１】
【課題を解決するための手段】
上記課題を解決するため、本発明は、端末側から編み始めるシングルニットからなるシングルウエルトの端末編組織であって、
編み始めの止め編み部分はニットとミスとからなるコースを弾性糸で編成している一方、該止め編み部分に連続するウエルト編み部分は地糸で編成した複数コースからなり、該ウエルト編み部分の複数のコースはニットにミスとタックを組み合わせ、これらニット、ミス、タック位置を表目と裏目の張力がバランスするように分散させて表目側にカールを発生させない構成としていることを特徴とする端末編組織を提供している。
【００１２】
上記編地はシングルシリンダにより編成した丸編地からなり、編み立てられたシングルニットの円筒状の編地は、パンツ、靴下、シャツ等の身頃、袖等を縫製なしで形成することができ、生産性を高めることができる。
【００１３】
上記構成からなる端末編組織では、編み始めの止め編み部分は、ゴム糸、ポリウレタン系弾性糸を芯糸としたカバリング弾性糸のみを用いて、１〜３コース、好ましくは３コース編成しているため、伝線防止と最端末における適度な締付を図ることができる。かつ、この止め編み部では、１コース中に針に給糸してループを形成するニットと、針に給糸せずにループを形成しないミスとを交えているため、弾性糸からなる表目のループの張力が減少し、外側へのカール発生を抑制できる。かつ、ニットとミスを交えているため、シングルニットであっても太い弾性糸で編成することができると共に、締付力を適度に押さえて適度なフィット感を与えることができる。
【００１４】
具体的には、止め編み部分では、例えば、１つのコースで、第１針に給糸してニットとし、第２〜第４の３本の針に給糸せずにミスとし、第５の針に給糸してニットとし、これを繰り返し、弾性糸からなる表目のループ数を減少させている。かつ、弾性糸で３つのコースを編成して止め編み部分とする場合には、第１コースと第３コースのニットとミス位置とを同一とし、第２コースのニット位置を第１コースと第３コースのミス位置の中央とすることが、本発明者の試作結果より最も好ましいことが判明している。
【００１５】
上記止め編み部分に連続するウエルト編み部分をシングルニットで且つシングルウエルトとすると、薄い編地となるため、段差を発生させない利点があるが、ニットのみからなる平編みとすると、表目側への張力が大となって表側へのカールが発生しやすくなる。
よって、本発明では、上記したように、ウエルト編み部分の複数のコースはニットにミスとタックを組み合わせ、これらニット、ミス、タック位置を表目と裏目の張力がバランスするように分散させて表目側にカールを発生させない構成としている。
【００１６】
ウエルト編み部分の各コースはミスにニットあるいは／およびタックを組み合わせ、１つのコース中にかならずループを形成しないミスを交えているため、表目の張力を減少させることができる。かつ、所要位置にタックを設けて裏目への張力を増加させ、これらニット、ミス、タックの位置を表目と裏目との張力がバランスするように分散させているため、外側へのカール発生を防止することができる。
なお、表目と裏目との張力のバランス精度を高めるために、各コースにおいて上記のように、ニットとミスあるいは／およびタックを交じえて編成することに加えて、糸の種類、給糸テンションを調節してもよい。
【００１７】
ウエルト編み部分は、コース数は限定されず、衣類の機能やデザインに応じてコース数を増減してウエルト編み部分の幅を調整しているが、５０コース以上で、１００〜３００コースが好ましい。
詳細には、上記止め編み部分に連続する複数コースはニットとミスとを繰り返すタック入り準備部とし、これに連続する複数のコースではタックを交えた身頃締付部とし、該身頃締付部の複数のコースは、ニットとミスからなるコース、ニットとミスとタックからなるコース、ミスとタックからなるコース、ニットとミスとタックとからなるコースを順次備え、かつ、これを繰り返す編組織とすることが好ましい。
【００１８】
このウエルト編み部分の地糸としては、ウーリーナイロン等の嵩高加工糸、ポリウレタン系弾性糸を芯糸とし合成繊維のフィランメト糸あるは加工糸をカバリングしているカバリング弾性糸あるいはフィラメント糸が好適に用いられ、これらの糸を適宜選択し、あるいは併用して用いている。
【００１９】
本発明は、上記シングルニットの編地からなるシングルウエルトの端末編組織を備えた衣類を提供しており、特に、インナーウエアや靴下として好適に用いられる。
具体的には、トップ衣類としては、シャツ、Ｔシャツ、タンクトップ、キャミソール等が挙げられ、これらのトップ衣類の裾や袖口を上記端末編組織からなるシングルウエルトとしている。また、ボトム衣類としては、ショーツ、パンツ、スパッツ、ガードル、レッグウエア、ストッキング、パンテイストッキング、ソックス等が挙げられ、これらボトム衣類のはき口や裾部等を上記端末編組織からなるシングルウエルトとしている。
これらの衣類の裾、袖口、はき口を上記構成のシングルニットからなるシングルウエルトとすると、薄くなるため段差が発生しにくく、薄物のアウターウエアを着用してもインナーウエアの端末が外部にひびく現象が発生するのを防止できる。また、止め編み部分は弾性糸で編成しているため伝線発生を防止できると共に、該止め編み部分に連続するウエルト編み部分では表目側へ張力を発生させない編組織としているため、外側へとカールして端末がめくれ上がることを防止できる。
【００２０】
【発明の実施の形態】
以下、本発明の実施形態を図面を参照して説明する。
図１はシングルシリンダの４口丸編機で編成した筒状編地１を示す。
図中、上端が編み始め端となり、上端から止め編み部分２、ウエルト編み部分３、本体編み部分４を連続させ、下端部にダブルウエルト編み部分５を設けている。
【００２１】
図２および図３は止め編み部分２、ウエルト編み部分３の編み組織を示し、第１列目の針１０−１から第Ｎ列目の針１０−ｎの下に示す（○）は針１０に給糸してニットしている場合、（×）は針１０に給糸せずに飛ばしてミスしている場合、（△）は先のコースでニットした針に給糸してタックしている場合を示す。
【００２２】
編み始めの止め編み部分２はゴム糸あるいはポリウレタン系弾性糸を芯糸としたカバリング弾性糸１１のみを用い、該弾性糸１１を給糸口から連続供給して環状に第１コースＣ１から第３コースＣ３を編成している。この止め編み部分２では１つのコース中にニットとミスを交え、本実施形態では１針ニット→３針ミス→１針ニット→３針ミスを繰り返している。
【００２３】
詳細には、第１コースＣ１は図２および図３に示すように、第１列目の針１０−１にニット○、第２〜第４列目の針１０−２〜１０−４はミス×、第５列目の針１０−５にニット○とし、１ニット、３ウエールはミスを繰り返している。
第３コースＣ３は第１コースＣ１と同一編成とし、これら第１コースＣ１と第３コースＣ３に挟まれた第２コースＣ２は、第１、第３コースと同様に１ニット、３ミスを繰り返しているが、ニット位置は第１、第３コースのミス位置の中央位置としている。
この止め編み部分２の第１コースＣ１の弾性糸１１は第３コースの弾性糸と、第２コースＣ２および第３コースＣ３の弾性糸１１は第４コースＣ４の地糸１１０とニットしてほつれにくくしている。
【００２４】
このように止め編み部分２では、１つのコースで１ニット、３ミスを繰り返して編成しているため、ニット位置で表目に形成されるループＲの張力を減少でき、表目の張力の減少を図って止め編み部分２が外側に巻くカール発生を防止できる。かつ、第１、第３コースＣ１、Ｃ３でミスしている位置で第２コースＣ２をニットしてループＲを形成しているため、止め編み部分２の全体では周方向に略１針飛びでループが形成され、周方向全体に略均等の適度な締め付け力を付与できると共に、弾性糸１１で端末を編成しているため端末の補強ができ、その結果、端末からの伝線発生を防止できる。
【００２５】
止め編み部分２に連続するウエルト編み部分３では、ポリウレタン弾性糸を芯糸としウーリーナイロン糸をカバリングした糸およびウーリーナイロン糸を地糸１１０として用いている。
ウエルト編み部分３の最初の第４コースＣ４と第５コースＣ５は、止め編み部分２の第２コースＣ２、第３コースＣ３の弾性糸とニットしているため、ほつれ防止部であると共に、タックを入れずにニットとミスとを組み合わせて、タック入り準備部（Ｉ）としている。次の第６コースＣ６〜第９コースＣ９の４つのコースを１組とし、これを第１０コースＣ１０〜第１３コースＣ１３に示すように４つのコースを１組として繰り返して身頃締付部（ＩＩ）としている。
上記タック入り準備部（Ｉ）の第４コースＣ４はカバリング糸とウーリーナイロン糸を用いて編成し、第５コースＣ５は弾性糸を用いて編成している。
上記身頃締付部（ＩＩ）の４コース１組で用いる糸は、第６コースＣ６はカバリング糸とウーリーナイロン糸、第７コースＣ７はウーリーナイロン糸、第８コースＣ８は弾性糸、第９コースＣ９はウーリーナイロン糸を用いている。
【００２６】
詳細には、図２および図３に示すように、第４コースＣ４と第５コースＣ５とからなるタック入り準備部（Ｉ）のうち、第４コースＣ４では第１列目の針１０−１にニット○、第２列目の針１０−２はミス×、第３列目の針１０−３にニット○、第４列目の針１０−４はミス×とし、１針毎にニットとミスを繰り返している。
第５コースＣ５では、第１列目の針１０−１はニット○、第２〜第４列目の針１０−２〜１０−４はミス×、第５列目の針１０−５は○として、これを繰り返し、第５コースＣ５の方を第４コースＣ４よりニット数を少なくして、表目側に形成されるループを減少している。
【００２７】
続く第６〜第９コースＣ６〜Ｃ９の４コース、同一の編み組織を繰り返す第１０コースＣ１０〜第１３コースＣ１３のコースでは、図２および図３に示す構成としている。
即ち、第６コースＣ６では１針毎にニット○とミス×を繰り返している。
第７コースＣ７では、第１列目の針１０−１から第２列目の針１０−３へと１針毎に、順次ニット○→ミス×→タック△→ミス×→ニット○→ミス×→タック△を繰り返し、ニットとタックとの間をミスしている。
第８コースＣ８はニットせずに、ミスとタックとで編成し、第１列目の針１０−１はミス、第２列目の針１０−２はミス、第３列目の針１０−３はタックとし、ミス×→ミス×→ミス×→タック△を繰り返し、第７コースＣ７のタック位置で第８コースＣ８もタックしている。
【００２８】
第９コースＣ９は第７コースと同一としている。
このように、第６〜第９コースでは各コース中にミスを必ず入れて表目に形成されるループの張力を減少させると共に、各第７〜第９コース中に夫々タックを入れて裏面側への張力を高め、表目の張力と裏目の張力とのバランスをとっている。
【００２９】
第１０コースＣ１０〜第１３コースＣ１３は、上記第７コースＣ７〜第９コースＣ９を繰り返してウエルト編み部３の長さを所要の長さとしている。よって、ウエルト編み部３の長さを短くしたい場合には、繰り返しコース数を少なくし、より長くしたい場合は繰り返しコース数を多くすればよい。
【００３０】
このように、シングルニットで且つシングルウエルトとする上記ウエルト編み部分３を、上記した１つのコース中にミスを入れると共に、ニットとタックとを組み合わせて編成することにより、表目にループＲを形成して表目側（外側）への張力を発生するニットと、裏目側への張力を発生するタックとにより、かつ、これらニットとタックとの位置関係で、表目側と裏目側の張力が最も均衡して、バランスが取れることが本発明者の試作より実証されている。
【００３１】
なお、ウエルト編み部分３の編組織は上記組織に限定されず、ミスとタックとを入れて、表目側のループの張力を減少する一方、タックにより裏目側の張力を高めることで、表裏両面の張力バランスを図ることができる編組織とすればよい。更に、使用する地糸の種類、太さ、給糸の張力に変化を加えて、種々のバリエーションの編組織とすることも可能である。
【００３２】
図４は、図１に示す筒状編地１を２本用いて形成したパンツ３０を示す。パンツ３０は２本の筒状編地１を並設し、股部となる上部の隣接位置を切り開いて縫着している。このバンツ３０では両側の足回り端をシングルウエルトとし、下端に止め編み部分２が位置し、該止め編み部分２にウエルト編み部分３が連続し、その上部から上端のウエスト位置まで本体編み部分４で、上端のウエスト部分がダブルウエルト編み部分５となる。
上記パンツ３０では足回り端がシングルウエルトとなるため、足回り端に段差が発生せず、外観にひびかないようにすることができる。かつ、止め編み部２を弾性糸１１で編成しているため伝線防止が図れ、かつ、ウエルト編み部分３では表裏両面の張力がバランスされているため、シングルニットで且つシングルウエルトとした場合に従来発生していた外向きのカール発生が抑制でき、足回り端が捲れ上がることが防止できる。
【００３３】
上記パンツに限定されず、筒状編地でトップインナーの袖を形成し、その袖口を上記シングルニットでシングルウエルトとした端末編組織とした場合、筒状編地を大径としてシャツの身頃部を形成して裾端を上記シングルニットでシングルウエルトとした端末編組織とした場合、パンテイストッキング、ストッキング、ソックスを筒状編地で編成し、そのはき口を上記シングルニットでシングルウエルトとした端末編組織とした場合等のいずれにおいても、袖口、裾端、はき口は、上記パンツの足回り端と同様に薄く外観にひびかず、かつ、外向きのカールが発生しない。
【００３４】
【発明の効果】
以上の説明より明らかなように、本発明では、編み始めの止め編み部分は、ゴム糸、ポリウレタン系弾性糸を芯糸としたカバリング弾性糸等の弾性糸を用いて、１コース中に針に給糸してループを形成するニットと、針に給糸せずにループを形成しないミスとを交えているため、弾性糸からなる表目のループの張力が減少し、外側へのカール発生を抑制できると共に、伝線防止と最端末における適度な締付を図ることができる。しかも、該止め編み部分では、ニットとミスを交えているため、適度な締付力により良いフィット感を与えることができる。
【００３５】
また、ウエルト編み部分の各コースはミスにニットあるいは／およびタックを組み合わせ、１つのコース中に必ずループを形成しないミスを交えていることで、表目のループの張力を減少させ、かつ、タックを設けて裏目への張力を増加させ、表目と裏目との張力がバランスするよう分散させているので、外側へのカール発生を防止することができる。
【図面の簡単な説明】
【図１】本発明の端末編組織を備えた筒状編地の概略図である。
【図２】編組織の説明図である。
【図３】編組織を示す図面である。
【図４】本発明の実施形態のパンツを示す概略図である。
【図５】（Ａ）は従来の編組織の一部を示す図面、（Ｂ）は別の編組織の一部を示す図面である。
【図６】別の従来の編組織の一部を示す図面である。
【符号の説明】
１　　　　　筒状編地
２　　　　　止め編み部分
３　　　　　ウエルト編み部分
４　　　　　本体編み部分
５　　　　　ダブルウエルト編み部分
１０−１〜ｎ　　　針
【図１】
2004124345.tif 000003
【図２】
2004124345.tif 000004
【図３】
2004124345.tif 000005
【図４】
2004124345.tif 000006
【図５】
2004124345.tif 000007
【図６】
2004124345.tif 000008
【手続補正書】
【提出日】平成15年4月15日(2003.4.15)
【手続補正１】
【補正対象書類名】明細書
【補正対象項目名】全文
【補正方法】変更
【補正の内容】
【特許請求の範囲】
【請求項１】止め編み部分と、該止め編み部分に連続するウエルト編み部分を備えるシングルニットからなるシングルウエルトの端末編組織であって、
上記止め編み部分はニットとミスとからなるコースを弾性糸で編成している一方、
上記ウエルト編み部分は地糸で編成した複数コースからなり、該ウエルト編み部分の複数コースは、１つのコース中に必ずループを形成しないミスを交えていると共に、表目側への張力を発生させるニットと裏目側への張力を発生させるタックとを表目側と裏目側の張力が均衡する位置関係で組み合わせて編成していることを特徴とする端末編組織。
【請求項２】上記止め編み部分に連続する複数コースは、ニットとミスとを繰り返すタック入り準備部とし、これに連続する複数のコースではタックを交えた身頃締付部とし、該身頃締付部の複数のコースは、ニットとミスからなるコース、ニットとミスとタックからなるコース、ミスとタックからなるコースを組み合わせて編成している請求項１に記載の端末編組織。
【請求項３】請求項１または請求項２に記載の端末編組織を丸編地として筒状とされる端末に備えていることを特徴とする衣類
【発明の詳細な説明】
【０００１】
【発明の属する技術分野】
本発明は端末編組織および該端末編組織を備えたトップおよびボトム下着等の衣類に関し、特に、端末をシングルニットとして薄くして外観に響かないようにすると共に外側に巻くように垂れ下がるカールの発生を防止しているものである。
【０００２】
【従来の技術】
靴下のはき口端末、シャツの裾端末や袖口、ショーツの足回り端末等のウエルト部分は、その厚さが大で身頃地との間に段差が発生すると、アウターを通して外観上現出する所謂“ひびく”現象が発生しやすい。そのため、ウエルト部分は出来るだけ薄くすることが好ましくいが、薄くすると、ウエルト部分が外側にカールして捲れ上がりやすい問題が発生するため、薄くしながらカールを発生させないことが求められている。
【０００３】
従来、ウエルト部分は編地を折り返して袋状としているダブルウエルトの場合が多く、このダブルウエルトではカールの問題は生じないが、厚さが大となって上記“ひびく”問題が発生する。
また、折り返してダブルウエルトとせず、弾性糸を編み込んで伸縮性を持たせたダブルニット編地からなるシングルウエルトも提供されている。（特開２００２−１４６６０９号）。
このダブルニット編地では図５（Ａ）に示すように、Ａ列の針Ｎ１とＢ列の針Ｎ２に給糸される糸で表目Ｓ１と裏目Ｓ２にループＲが形成されるため、表裏両面の張力のバランスが取れ、表側に編地が曲がり込むカールが発生しない利点がある。
また、上記シングルウエルトの場合は袋編に編成する場合と比較して編成工程が簡単となると共に厚さを薄くできるが、ダブルニット編地からなるため、シングルニット編地と比較すると厚さが大となっている。
【０００４】
ウエルト部分をシングルニット編地からなるシングルウエルトとすると、編成速度がダブルニットと比較して３倍程度早くなり生産性を上げる利点があると共に、厚さを薄くできる。しかしながら、図５（Ｂ）に示すように、シングルニット編地では１列に並列する針Ｎ３に給糸された糸が表目Ｓ１側にのみにループＲが形成されるため、表目側に編地のカールが発生して外側に捲れやすい問題がある。かつ、シングルニットで用いる編糸は細くゲージ数が多いため伸びが少なく、適度の締付力を付与して身体へのフィット感を出しにくい問題がある。
【０００５】
上記問題に対して、特開平８−８１８６０号公報で、図６に示すように、２本の弾性糸Ａ１、Ａ２を第１コース中に針で編成せずに直線状に挿入し、第１コースの地糸Ｂにより形成されるシカーループとニードルループにより弾性糸Ａ１、Ａ２を表裏から挟むように編成したシングルゴムトップの編み立て方法が提案されている。
さらに、実用新案登録第３０２２６８３号で提案されている靴下では、シングルシリンダ靴下編機で編成してシングルニットとしているが、口ゴムの端部数コースを裏編目が外側に位置するように折り返して袋状の二重編みとしたものが提案されている。
【０００６】
【特許文献１】
特開２００２−１４６６０９号公報
【０００７】
【特許文献２】
特開平８−８１８６０号公報
【０００８】
【特許文献３】
実用新案登録第３０２２６８３号公報
【０００９】
【発明が解決しようとする課題】
上記特開平８−８１８６０号公報で提案されているシングルゴムトップの編み立て方法では、ゴム糸を地糸と編まずに通しているだけで表裏両面より挟持した編成としているだけであるため、ウエルト部の端末の地糸ループが表目側にのみ出て外側へカールするのを防止する機能はない。
また、上記実用新案登録第３０２２６８３号で提案されている靴下では、ウエルト部では裏編目が外側に位置するように折り返して袋状の二重編みとしているため、シングルニット編地からなるがウエルト部の厚さが大となって、前記した外観にひびく問題が解消されていない。
【００１０】
本発明は上記した問題に鑑みてなされたもので、シングルニット編地からなるウエルト部にカールを発生させないと共に伝線も発生させず、かつ、適度の締付力を有する端末編組織を提供することを課題としている。
【００１１】
【課題を解決するための手段】
上記課題を解決するため、本発明は、止め編み部分と、該止め編み部分に連続するウエルト編み部分を備えるシングルニットからなるシングルウエルトの端末編組織であって、
上記止め編み部分はニットとミスとからなるコースを弾性糸で編成している一方、
上記ウエルト編み部分は地糸で編成した複数コースからなり、該ウエルト編み部分の複数コースは、１つのコース中に必ずループを形成しないミスを交えていると共に、表目側への張力を発生させるニットと裏目側への張力を発生させるタックとを表目側と裏目側の張力が均衡する位置関係で組み合わせて編成していることを特徴とする端末編組織を提供している。
【００１２】
上記編地はシングルシリンダにより編成した丸編地からなり、編み立てられたシングルニットの円筒状の編地は、パンツ、靴下、シャツ等の身頃、袖等を縫製なしで形成することができ、生産性を高めることができる。
【００１３】
上記構成からなる端末編組織では、止め編み部分は、ゴム糸、ポリウレタン系弾性糸を芯糸としたカバリング弾性糸のみを用いて編成しているため、伝線防止と最端末における適度な締付を図ることができる。かつ、この止め編み部では、１コース中に針に給糸してループを形成するニットと、針に給糸せずにループを形成しないミスとを交えているため、弾性糸からなる表目のループの張力が減少し、外側へのカール発生を抑制できる。かつ、ニットとミスを交えているため、シングルニットであっても太い弾性糸で編成することができると共に、締付力を適度に押さえて適度なフィット感を与えることができる。
【００１４】
具体的には、止め編み部分では、例えば、１つのコースで、第１針に給糸してニットとし、第２〜第４の３本の針に給糸せずにミスとし、第５の針に給糸してニットとし、これを繰り返し、弾性糸からなる表目のループ数を減少させている。　上記弾性糸で３つのコースを編成して止め編み部分とする場合には、第１コースと第３コースのニットとミス位置とを同一とし、第２コースのニット位置を第１コースと第３コースのミス位置の中央とすることが、本発明者の試作結果より最も好ましいことが判明している。
【００１５】
上記止め編み部分に連続するウエルト編み部分をシングルニットで且つシングルウエルトとすると、薄い編地となるため、段差を発生させない利点があるが、ニットのみからなる平編みとすると、表目側への張力が大となって表側へのカールが発生しやすくなる。
よって、本発明では、上記したように、ウエルト編み部分の複数のコースはニットにミスとタックを組み合わせ、これらニット、ミス、タック位置を表目と裏目の張力がバランスするように分散させて表目側にカールを発生させない構成としている。
【００１６】
ウエルト編み部分の各コースはミスにニットあるいは／およびタックを組み合わせ、１つのコース中にかならずループを形成しないミスを交えているため、表目の張力を減少させることができる。かつ、所要位置にタックを設けて裏目への張力を増加させ、これらニット、ミス、タックの位置を表目と裏目との張力がバランスするように分散させているため、外側へのカール発生を防止することができる。
なお、表目と裏目との張力のバランス精度を高めるために、各コースにおいて上記のように、ニットとミスあるいは／およびタックを交じえて編成することに加えて、糸の種類、給糸テンションを調節してもよい。
【００１７】
ウエルト編み部分は、コース数は限定されず、衣類の機能やデザインに応じてコース数を増減してウエルト編み部分の幅を調整しているが、５０コース以上で、１００〜３００コースが好ましい。
詳細には、上記止め編み部分に連続する複数コースはニットとミスとを繰り返すタック入り準備部とし、これに連続する複数のコースではタックを交えた身頃締付部とし、該身頃締付部の複数のコースは、ニットとミスからなるコース、ニットとミスとタックからなるコース、ミスとタックからなるコース、ニットとミスとタックとからなるコースを備え、かつ、これらのコースを組み合わせて繰り返す編組織とすることが好ましい。
【００１８】
このウエルト編み部分の地糸としては、ウーリーナイロン等の嵩高加工糸、ポリウレタン系弾性糸を芯糸とし合成繊維のフィランメト糸あるは加工糸をカバリングしているカバリング弾性糸あるいはフィラメント糸が好適に用いられ、これらの糸を適宜選択し、あるいは併用して用いている。
【００１９】
本発明は、上記端末編組織を丸編地として筒状とされる端末に備えている衣類を提供している。
具体的には、トップ衣類としては、シャツ、Ｔシャツ、タンクトップ、キャミソール等が挙げられ、これらのトップ衣類の裾や袖口を上記端末編組織からなるシングルウエルトとしている。また、ボトム衣類としては、ショーツ、パンツ、スパッツ、ガードル、レッグウエア、ストッキング、パンテイストッキング、ソックス等が挙げられ、これらボトム衣類のはき口や裾部等を上記端末編組織からなるシングルウエルトとしている。
これらの衣類の裾、袖口、はき口を上記構成のシングルニットからなるシングルウエルトとすると、薄くなるため段差が発生しにくく、薄物のアウターウエアを着用してもインナーウエアの端末が外部にひびく現象が発生するのを防止できる。また、止め編み部分は弾性糸で編成しているため伝線発生を防止できると共に、該止め編み部分に連続するウエルト編み部分では表目側へ張力を発生させない編組織としているため、外側へとカールして端末がめくれ上がることを防止できる。
【００２０】
【発明の実施の形態】
以下、本発明の実施形態を図面を参照して説明する。
図１はシングルシリンダの４口丸編機で編成した筒状編地１を示す。
図中、上端が編み始め端となり、上端から止め編み部分２、ウエルト編み部分３、本体編み部分４を連続させ、下端部にダブルウエルト編み部分５を設けている。
【００２１】
図２および図３は止め編み部分２、ウエルト編み部分３の編み組織を示し、第１列目の針１０−１から第Ｎ列目の針１０−ｎの下に示す（○）は針１０に給糸してニットしている場合、（×）は針１０に給糸せずに飛ばしてミスしている場合、（△）は先のコースでニットした針に給糸してタックしている場合を示す。
【００２２】
編み始めの止め編み部分２はゴム糸あるいはポリウレタン系弾性糸を芯糸としたカバリング弾性糸１１のみを用い、該弾性糸１１を給糸口から連続供給して環状に第１コースＣ１から第３コースＣ３を編成している。この止め編み部分２では１つのコース中にニットとミスを交え、本実施形態では１針ニット→３針ミス→１針ニット→３針ミスを繰り返している。
【００２３】
詳細には、第１コースＣ１は図２および図３に示すように、第１列目の針１０−１にニット○、第２〜第４列目の針１０−２〜１０−４はミス×、第５列目の針１０−５にニット○とし、１ニット、３ウエールはミスを繰り返している。
第３コースＣ３は第１コースＣ１と同一編成とし、これら第１コースＣ１と第３コースＣ３に挟まれた第２コースＣ２は、第１、第３コースと同様に１ニット、３ミスを繰り返しているが、ニット位置は第１、第３コースのミス位置の中央位置としている。
この止め編み部分２の第１コースＣ１の弾性糸１１は第３コースの弾性糸と、第２コースＣ２および第３コースＣ３の弾性糸１１は第４コースＣ４の地糸１１０とニットしてほつれにくくしている。
【００２４】
このように止め編み部分２では、１つのコースで１ニット、３ミスを繰り返して編成しているため、ニット位置で表目に形成されるループＲの張力を減少でき、表目の張力の減少を図って止め編み部分２が外側に巻くカール発生を防止できる。かつ、第１、第３コースＣ１、Ｃ３でミスしている位置で第２コースＣ２をニットしてループＲを形成しているため、止め編み部分２の全体では周方向に略１針飛びでループが形成され、周方向全体に略均等の適度な締め付け力を付与できると共に、弾性糸１１で端末を編成しているため端末の補強ができ、その結果、端末からの伝線発生を防止できる。
【００２５】
止め編み部分２に連続するウエルト編み部分３では、ポリウレタン弾性糸を芯糸としウーリーナイロン糸をカバリングした糸およびウーリーナイロン糸を地糸１１０として用いている。
ウエルト編み部分３の最初の第４コースＣ４と第５コースＣ５は、止め編み部分２の第２コースＣ２、第３コースＣ３の弾性糸とニットしているため、ほつれ防止部であると共に、タックを入れずにニットとミスとを組み合わせて、タック入り準備部（Ｉ）としている。次の第６コースＣ６〜第９コースＣ９の４つのコースを１組とし、これを第１０コースＣ１０〜第１３コースＣ１３に示すように４つのコースを１組として繰り返して身頃締付部（ＩＩ）としている。
上記タック入り準備部（Ｉ）の第４コースＣ４はカバリング糸とウーリーナイロン糸を用いて編成し、第５コースＣ５は弾性糸を用いて編成している。
上記身頃締付部（ＩＩ）の４コース１組で用いる糸は、第６コースＣ６はカバリング糸とウーリーナイロン糸、第７コースＣ７はウーリーナイロン糸、第８コースＣ８は弾性糸、第９コースＣ９はウーリーナイロン糸を用いている。
【００２６】
詳細には、図２および図３に示すように、第４コースＣ４と第５コースＣ５とからなるタック入り準備部（Ｉ）のうち、第４コースＣ４では第１列目の針１０−１にニット○、第２列目の針１０−２はミス×、第３列目の針１０−３にニット○、第４列目の針１０−４はミス×とし、１針毎にニットとミスを繰り返している。
第５コースＣ５では、第１列目の針１０−１はニット○、第２〜第４列目の針１０−２〜１０−４はミス×、第５列目の針１０−５は○として、これを繰り返し、第５コースＣ５の方を第４コースＣ４よりニット数を少なくして、表目側に形成されるループを減少している。
【００２７】
続く第６〜第９コースＣ６〜Ｃ９の４コース、同一の編み組織を繰り返す第１０コースＣ１０〜第１３コースＣ１３のコースでは、図２および図３に示す構成としている。
即ち、第６コースＣ６では１針毎にニット○とミス×を繰り返している。
第７コースＣ７では、第１列目の針１０−１から第２列目の針１０−３へと１針毎に、順次ニット○→ミス×→タック△→ミス×→ニット○→ミス×→タック△を繰り返し、ニットとタックとの間をミスしている。
第８コースＣ８はニットせずに、ミスとタックとで編成し、第１列目の針１０−１はミス、第２列目の針１０−２はミス、第３列目の針１０−３はタックとし、ミス×→ミス×→ミス×→タック△を繰り返し、第７コースＣ７のタック位置で第８コースＣ８もタックしている。
【００２８】
第９コースＣ９は第７コースと同一としている。
このように、第６〜第９コースでは各コース中にミスを必ず入れて表目に形成されるループの張力を減少させると共に、各第７〜第９コース中に夫々タックを入れて裏面側への張力を高め、表目の張力と裏目の張力とのバランスをとっている。
【００２９】
第１０コースＣ１０〜第１３コースＣ１３は、上記第７コースＣ７〜第９コースＣ９を繰り返してウエルト編み部３の長さを所要の長さとしている。よって、ウエルト編み部３の長さを短くしたい場合には、繰り返しコース数を少なくし、より長くしたい場合は繰り返しコース数を多くすればよい。
【００３０】
このように、シングルニットで且つシングルウエルトとする上記ウエルト編み部分３を、上記した１つのコース中にミスを入れると共に、ニットとタックとを組み合わせて編成することにより、表目にループＲを形成して表目側（外側）への張力を発生するニットと、裏目側への張力を発生するタックとにより、かつ、これらニットとタックとの位置関係で、表目側と裏目側の張力が最も均衡して、バランスが取れることが本発明者の試作より実証されている。
【００３１】
なお、ウエルト編み部分３の編組織は上記組織に限定されず、ミスとタックとを入れて、表目側のループの張力を減少する一方、タックにより裏目側の張力を高めることで、表裏両面の張力バランスを図ることができる編組織とすればよい。更に、使用する地糸の種類、太さ、給糸の張力に変化を加えて、種々のバリエーションの編組織とすることも可能である。
【００３２】
図４は、図１に示す筒状編地１を２本用いて形成したパンツ３０を示す。パンツ３０は２本の筒状編地１を並設し、股部となる上部の隣接位置を切り開いて縫着している。このバンツ３０では両側の足回り端をシングルウエルトとし、下端に止め編み部分２が位置し、該止め編み部分２にウエルト編み部分３が連続し、その上部から上端のウエスト位置まで本体編み部分４で、上端のウエスト部分がダブルウエルト編み部分５となる。
上記パンツ３０では足回り端がシングルウエルトとなるため、足回り端に段差が発生せず、外観にひびかないようにすることができる。かつ、止め編み部２を弾性糸１１で編成しているため伝線防止が図れ、かつ、ウエルト編み部分３では表裏両面の張力がバランスされているため、シングルニットで且つシングルウエルトとした場合に従来発生していた外向きのカール発生が抑制でき、足回り端が捲れ上がることが防止できる。
【００３３】
上記パンツに限定されず、筒状編地でトップインナーの袖を形成し、その袖口を上記シングルニットでシングルウエルトとした端末編組織とした場合、筒状編地を大径としてシャツの身頃部を形成して裾端を上記シングルニットでシングルウエルトとした端末編組織とした場合、パンテイストッキング、ストッキング、ソックスを筒状編地で編成し、そのはき口を上記シングルニットでシングルウエルトとした端末編組織とした場合等のいずれにおいても、袖口、裾端、はき口は、上記パンツの足回り端と同様に薄く外観にひびかず、かつ、外向きのカールが発生しない。
【００３４】
【発明の効果】
以上の説明より明らかなように、本発明では、止め編み部分は、ゴム糸、ポリウレタン系弾性糸を芯糸としたカバリング弾性糸等の弾性糸を用いて、１コース中に針に給糸してループを形成するニットと、針に給糸せずにループを形成しないミスとを交えているため、弾性糸からなる表目のループの張力が減少し、外側へのカール発生を抑制できると共に、伝線防止と最端末における適度な締付を図ることができる。しかも、該止め編み部分では、ニットとミスを交えているため、適度な締付力により良いフィット感を与えることができる。
【００３５】
また、ウエルト編み部分の各コースはミスにニットあるいは／およびタックを組み合わせ、１つのコース中に必ずループを形成しないミスを交えていることで、表目のループの張力を減少させ、かつ、タックを設けて裏目への張力を増加させ、表目と裏目との張力がバランスするよう分散させているので、外側へのカール発生を防止することができる。
【図面の簡単な説明】
【図１】本発明の端末編組織を備えた筒状編地の概略図である。
【図２】編組織の説明図である。
【図３】編組織を示す図面である。
【図４】本発明の実施形態のパンツを示す概略図である。
【図５】（Ａ）は従来の編組織の一部を示す図面、（Ｂ）は別の編組織の一部を示す図面である。
【図６】別の従来の編組織の一部を示す図面である。
【符号の説明】
１　　　　　筒状編地
２　　　　　止め編み部分
３　　　　　ウエルト編み部分
４　　　　　本体編み部分
５　　　　　ダブルウエルト編み部分
１０−１〜ｎ　　　針